(57)【要約】【課題】エンドプラグとバルブ本体とを容易に組み立てることができ、かつ、エンドプラグとバルブ本体との接続部が緩むことに起因して分解するのを抑制することが可能な管継手を提供する。【解決手段】この管継手１００は、管体に取り付けられ、通水路１０２ｅを有するバルブ本体１０１と、バルブ本体１０１内に設けられるとともに、通水路１０２ｅを開閉するボール弁体１０６と、ボール弁体１０６をバルブ本体１０１内に保持するためのエンドプラグ１０２とを備える。また、エンドプラグ１０２の外面部１２０には、エンドプラグ１０２をバルブ本体１０１に組み付ける際に組立用工具と接続可能な互いに平行ではない平坦面部１２０ｃおよび平坦面部１２０ｄが設けられている。【選択図】図４
2013257029.tif 000002
【特許請求の範囲】
【請求項１】
管体に取り付けられる管継手であって、
通水部を有するバルブ本体と、
前記バルブ本体内に設けられるとともに、前記通水部を開閉する弁体と、
前記弁体をバルブ本体内に保持するためのエンドプラグとを備える管継手において、
前記エンドプラグの外面部には、前記エンドプラグを前記バルブ本体に組み付ける際に組立用工具と接続可能な円形の組立用円形部、または、前記エンドプラグを前記バルブ本体に組み付ける際に組立用工具と接続可能な互いに平行ではない第１組立用面部、または、前記エンドプラグを前記バルブ本体に組み付ける際に組立用工具と接続可能な第１組立用凹部が設けられていることを特徴とする管継手。
【請求項２】
前記第１組立用面部は、奇数または偶数の互いに平行ではない面を含み、
前記第１組立用凹部は、奇数または偶数の凹部を含むことを特徴とする、請求項１に記載の管継手。
【請求項３】
前記エンドプラグの外面部に前記組立用円形部または前記第１組立用面部または前記第１組立用凹部が設けられるのに加えて前記エンドプラグの内面部には、前記エンドプラグを前記バルブ本体に組み付ける際に組立用工具と接続可能な互いに平行ではない第２組立用面部、または、前記エンドプラグを前記バルブ本体に組み付ける際に組立用工具と接続可能な第２組立用凹部がさらに設けられていることを特徴とする、請求項１または２に記載の管継手。
【請求項４】
前記第２組立用面部は、奇数または偶数の互いに平行ではない面を含み、
前記第２組立用凹部は、奇数または偶数の凹部を含むことを特徴とする、請求項３に記載の管継手。
【請求項５】
前記エンドプラグの外面部に前記組立用円形部または前記第１組立用面部または前記第１組立用凹部が設けられるのに加えて前記エンドプラグの内面部には、前記エンドプラグを前記バルブ本体に組み付ける際に組立用工具と接続可能な互いに平行となる第２組立用面部がさらに設けられていることを特徴とする、請求項１または２に記載の管継手。
【発明の詳細な説明】
【技術分野】
【０００１】
本発明は、管継手に関し、特に、管体に取り付けられる管継手に関する。
【背景技術】
【０００２】
従来、水道配管等の管体に取り付けられる管継手が知られている（例えば、特許文献１）。
【０００３】
上記特許文献１には、中央部近傍に六角形状のフランジ部を有し、フランジ部を挟んで一方側に雄ネジ筒部が設けられるとともに、他方側にノズル部が設けられた継手本体（エンドプラグ）を備えた管継手が開示されている。一般的に、エンドプラグの雄ネジ筒部には、用途に応じて給水や給湯用の水道配管等の管体の途中に流路を開閉するためのバルブ本体が設けられる。バルブ本体の内部には、流路を開閉するためのボールバルブやゲートバルブなどの弁体や、止水用のシール部材などが内蔵される。これらの弁体およびシール部材は、弁体が回動可能またはスライド可能な状態になるようにバルブ本体の内部に組み込まれている。バルブ本体内に、弁体とシール部材とを組み付けた後に、エンドプラグをバルブ本体に対してねじ込むかまたは嵌め込むことにより、弁体とシール部材とがバルブ本体内に保持される。
【０００４】
また、エンドプラグをバルブ本体にねじ込むことにより組み付ける構造においては、安価に機械設備を用いて組み立てるためには、エンドプラグおよびバルブ本体に組立設備に取り付けられた冶具（工具）と接続できる形状や部位を備えている必要がある。すなわち、従来のエンドプラグでは、外面部（フランジ部）に六角形状や八角形状などの１組以上の平行面を有する偶数角形状の平坦面部が設けられており、これらの偶数角形状の面部とソケットレンチ状の冶具とを容易に接続（係合）させて、ねじ込むことにより、エンドプラグとバルブ本体との組み立てを行うことが可能となる。
【先行技術文献】
【特許文献】
【０００５】
【特許文献１】特開２０１２−７７８０３号公報
【発明の概要】
【発明が解決しようとする課題】
【０００６】
しかしながら、上記特許文献１に開示された管継手では、エンドプラグが取り付けられたバルブ本体を配管にねじ込む際には、施工現場で用いられるモンキーレンチ、スパナまたはプライヤーなどの一般的な工具が、本来工具で把持するバルブ本体ではなく、エンドプラグの外面（フランジ部）に予期せず引っ掛かってしまう（係合する）場合がある。そして、エンドプラグを一般的な工具で回してしまうことにより、エンドプラグとバルブ本体との接続部が緩んでしまい、エンドプラグとバルブ本体とが分解する場合やそれに伴う漏水が発生するという不都合がある。
【０００７】
上記のような観点から、エンドプラグをバルブ本体に容易に組み付けることができ、かつ、施工現場において作業者が一般的な工具を用いてバルブ本体を配管にねじ込む際に、予期せずエンドプラグに工具が係合することに起因して、エンドプラグを一般的な工具で回してしまい、エンドプラグとバルブ本体との接続部が緩むことによって、分解するのを抑制することが望まれている。
【０００８】
この発明は、上記のような課題を解決するためになされたものであり、この発明の目的は、エンドプラグとバルブ本体とを容易に組み立てることができ、かつ、エンドプラグとバルブ本体との接続部が緩むことに起因して分解するのを抑制することが可能な管継手を提供することである。
【課題を解決するための手段】
【０００９】
上述の課題を解決するための手段として、本発明による管継手は、以下のように構成されている。
【００１０】
すなわち、本発明による管継手は、管体に取り付けられ、通水部を有するバルブ本体と、前記バルブ本体内に設けられるとともに、前記通水部を開閉する弁体と、前記弁体をバルブ本体内に保持するためのエンドプラグとを備える構成を前提とするものである。また、本発明による管継手は、前記エンドプラグの外面部には、前記エンドプラグを前記バルブ本体に組み付ける際に組立用工具と接続可能な円形または互いに平行ではない第１組立用面部、または、前記エンドプラグを前記バルブ本体に組み付ける際に組立用工具と接続可能な第１組立用凹部が設けられていることを特徴とするものである。
【００１１】
かかる構成を備える管継手によれば、エンドプラグの外面部に設けられた円形の組立用円形部または互いに平行ではない第１組立用面部または第１組立用凹部に組立用工具を係合させることにより容易にエンドプラグとバルブ本体とを組み立てることができる。また、従来の一般的な工具（モンキーレンチ、スパナまたはプライヤーなど）を用いてエンドプラグの外面部に設けられた平行な２平面に係合させてねじ込む場合または分解する場合と異なり、本発明ではエンドプラグの外面部に一般的な工具が係合するような平行な２平面が設けられていないので、エンドプラグに予期せず工具が係合するのを抑制することができる。これにより、エンドプラグを予期せず工具で回してしまうことによりエンドプラグとバルブ本体との接続部が緩むのを抑制することができるので、エンドプラグとバルブ本体とが分解するのを抑制することができる。その結果、エンドプラグとバルブ本体とが分解することに起因して漏水が発生するのを抑制することができる。これらにより、エンドプラグとバルブ本体とを容易に組み立てることができ、かつ、エンドプラグとバルブ本体との接続部が緩むことに起因して分解するのを抑制することができる。
【００１２】
本発明の具体的な構成として、以下の複数のものが挙げられる。
【００１３】
本発明による管継手において、好ましくは、前記第１組立用面部は、奇数または偶数の互いに平行ではない面を含み、前記第１組立用凹部は、奇数または偶数の凹部を含むことを特徴とする。このように構成すれば、任意の数（奇数または偶数）の面部または凹部により、容易に、一般的な工具が係合することに起因するエンドプラグとバルブ本体との予期せぬ分解とそれに伴う漏水を抑制することができる。
【００１４】
また、本発明において、好ましくは、前記エンドプラグの外面部に前記組立用円形部または前記第１組立用面部または前記第１組立用凹部が設けられるのに加えて前記エンドプラグの内面部には、前記エンドプラグを前記バルブ本体に組み付ける際に組立用工具と接続可能な互いに平行ではない第２組立用面部、または、前記エンドプラグを前記バルブ本体に組み付ける際に組立用工具と接続可能な第２組立用凹部がさらに設けられていることを特徴とする。このように構成すれば、エンドプラグの内面部に設けられた第２組立用面部または第２組立用凹部に組立用工具を係合させることにより容易にエンドプラグとバルブ本体とを組み立てることができる。また、エンドプラグの外面部に設けられた第１組立用面部または第１組立用凹部に組立用工具を係合させて組み立てる場合と、エンドプラグの内面部に設けられた第２組立用面部または第２組立用凹部に組立用工具を係合させて組み立てる場合との２通りで組み立てることができるので、２通りのうち１つを作業者が選択して組み立てることができる。これにより、作業性を向上させることができる。さらに、従来の一般的な工具（モンキーレンチ、スパナまたはプライヤーなど）を用いてエンドプラグの外面部に設けられた平行な２平面に係合させてねじ込む場合または分解する場合と異なり、エンドプラグの外面部に一般的な工具が係合するような平行な２平面が設けられていないので、エンドプラグに予期せず工具が係合するのを抑制することができる。
【００１５】
また、本発明において、好ましくは、前記第２組立用面部は、奇数または偶数の互いに平行ではない面を含み、前記第２組立用凹部は、奇数または偶数の凹部を含むことを特徴とする。このように構成すれば、任意の数（奇数または偶数）の面部または凹部により、容易に、一般的な工具が係合することに起因するエンドプラグとバルブ本体との予期せぬ分解とそれに伴う漏水を抑制することができる。
【００１６】
また、本発明において、好ましくは、前記エンドプラグの外面部に前記組立用円形部または前記第１組立用面部または前記第１組立用凹部が設けられるのに加えて前記エンドプラグの内面部には、前記エンドプラグを前記バルブ本体に組み付ける際に組立用工具と接続可能な互いに平行となる第２組立用面部がさらに設けられていることを特徴とする。このように構成すれば、エンドプラグの外面部に予期せず一般的な工具が係合するのを抑制しながら、エンドプラグの内面部に設けられた互いに平行となる第２組立用面部に組立用工具を係合させることにより容易にエンドプラグとバルブ本体とを組み立てることができる。
【発明の効果】
【００１７】
本発明によれば、エンドプラグとバルブ本体とを容易に組み立てることができ、かつ、エンドプラグとバルブ本体との接続部が緩むことに起因して分解するのとそれに伴う漏水を抑制することができる。
【図面の簡単な説明】
【００１８】
【図１】本発明の第１実施形態によるエンドプラグの外面部に２つのそれぞれ平行ではない平坦面部が設けられた管継手を示す全体斜視図である。
【図２】図１に示す管継手の断面を示す図である。
【図３】図１に示す管継手の外筒部材およびキャップ部材を取り外した状態を示す斜視図である。
【図４】図３に示す管継手をエンドプラグ側から見た図である。
【図５】図４の１５０−１５０線に沿った断面図である。
【図６】本発明の第２実施形態によるエンドプラグの外面部に１つの平坦面部が設けられた管継手を示す斜視図である。
【図７】図６に示す管継手をエンドプラグ側から見た図である。
【図８】図７の２５０−２５０線に沿った断面図である。
【図９】本発明の第３実施形態によるエンドプラグの外面部に３つのそれぞれ平行ではない平坦面部が設けられた管継手を示す斜視図である。
【図１０】図９に示す管継手をエンドプラグ側から見た図である。
【図１１】図１０の３５０−３５０線に沿った断面図である。
【図１２】本発明の第４実施形態によるエンドプラグの外面部に５つのそれぞれ平行ではない平坦面部が設けられた管継手を示す斜視図である。
【図１３】図１２に示す管継手をエンドプラグ側から見た図である。
【図１４】図１３の４５０−４５０線に沿った断面図である。
【図１５】本発明の第５実施形態によるエンドプラグの外面部に３つの三角形状の組立用凹部が設けられた管継手を示す斜視図である。
【図１６】図１５に示す管継手をエンドプラグ側から見た図である。
【図１７】図１６の５５０−５５０線に沿った断面図である。
【図１８】本発明の第６実施形態によるエンドプラグの外面部に４つの矩形形状の組立用凹部が設けられた管継手を示す斜視図である。
【図１９】図１８に示す管継手をエンドプラグ側から見た図である。
【図２０】図１９の６５０−６５０線に沿った断面図である。
【図２１】本発明の第７実施形態によるエンドプラグの内面部に３つのそれぞれ平行ではない平坦面部が設けられた管継手を示す斜視図である。
【図２２】図２１に示す管継手をエンドプラグ側から見た図である。
【図２３】図２２の７５０−７５０線に沿った断面図である。
【図２４】本発明の第８実施形態によるエンドプラグの内面部に３つの三角形状の組立用凹部が設けられた管継手を示す斜視図である。
【図２５】図２４に示す管継手をエンドプラグ側から見た図である。
【図２６】図２５の８５０−８５０線に沿った断面図である。
【発明を実施するための形態】
【００１９】
以下、本発明の実施形態を図面に基づいて説明する。
【００２０】
（第１実施形態）
図１〜図５を参照して、本発明の第１実施形態による管継手１００の構成について説明する。
【００２１】
図１に示すように、第１実施形態による管継手１００は、バルブ本体１０１と、バルブ本体１０１に接続された筒状のエンドプラグ１０２と、エンドプラグ１０２に取り付けられた外筒部材１０３と、外筒部材１０３に取り付けられたキャップ部材１０４と、バルブ本体１０１に取り付けられたハンドル部材１０５とを備えている。
【００２２】
図２に示すように、バルブ本体１０１は、青銅などの金属材料により形成されており、バルブ本体１０１の外面には、モンキーレンチ、スパナまたはプライヤー等の一般的な締め付け工具（図示せず）の係合部分が係合する六角形状の係合部１０１ａが形成されている。また、バルブ本体１０１内には、水などの液体が流通する通水路１０１ｂが形成されている。また、バルブ本体１０１内には、通水路１０６ａを有するボール弁体１０６と、ボール弁体１０６に接続された軸部材１０７と、軸部材１０７の外周溝１０７ａに取り付けられたＯリング１０８とが収容されている。また、バルブ本体１０１の内面とボール弁体１０６との間には、ボール弁体１０６を挟むように２つの止水シート１０９が配置されている。
【００２３】
また、軸部材１０７は、バルブ本体１０１に形成された開口部１０１ｃに挿入されている。軸部材１０７は、ハンドル部材１０５に形成された取付孔１０５ａに取り付けられている。また、ハンドル部材１０５が回動されることにより、ボール弁体１０６は、軸部材１０７を中心にして回動することが可能に構成されている。これにより、バルブ本体１０１の通水路１０１ｂと、ボール弁体１０６の通水路１０６ａと、後述するエンドプラグ１０２の通水路１０２ｅとが接続されることにより、水などの液体が通水路内を流通する。
【００２４】
また、バルブ本体１０１の通水路１０１ｂの外表面には、水道配管等の管体（図示せず）に取り付けられる（接続される）雄ネジ筒部１０１ｄが形成されている。バルブ本体１０１の雄ネジ筒部１０１ｄ側とは反対側の部分には、エンドプラグ１０２と接続される雌ネジ筒部１０１ｅが形成されている。
【００２５】
エンドプラグ１０２は、砲金やステンレス鋼等の金属材料により形成されている。エンドプラグ１０２のバルブ本体１０１側の部分には、バルブ本体１０１の雌ネジ筒部１０１ｅと接続される雄ネジ筒部１０２ａが形成されている。エンドプラグ１０２のキャップ部材１０４側の部分には、外筒受部１０２ｂとノズル部１０２ｃとが形成されている。ノズル部１０２ｃには、２つの溝部１０２ｄが形成されている。これら２つの溝部１０２ｄには、それぞれ、ゴムなどの材料からなるＯリング１１０が取り付けられている。また、エンドプラグ１０２内には、水などの液体が流通する通水路１０２ｅが形成されている。
【００２６】
エンドプラグ１０２の外筒受部１０２ｂには、外筒部材１０３が嵌合されている。この外筒部材１０３は、樹脂などの材料により形成された筒状体である。また、外筒部材１０３には、樹脂などの材料により形成されたキャップ部材１０４が取り付けられている。
【００２７】
ここで、第１実施形態では、図３〜図５に示すように、エンドプラグ１０２の中央部分の外面には、エンドプラグ１０２をバルブ本体１０１に組み付ける際に、組立用工具（図示せず）の係合部分と接続可能な互いに平行ではない面を含む外面部１２０が設けられている。具体的には、外面部１２０は、図４に示すように、曲面部１２０ａと、曲面部１２０ｂと、平坦面部１２０ｃと、平坦面部１２０ｄとを有している。なお、平坦面部１２０ｃおよび平坦面部１２０ｄは、本発明の「第１組立用面部」の一例である。すなわち、外面部１２０は、偶数個の曲面部と、偶数個の平坦面部とを有している。また、平坦面部１２０ｃと平坦面部１２０ｄとは、互いに平行とならないように形成されている。そして、組立用工具（図示せず）を用いて組立用工具の係合部分を外面部１２０と係合させて、エンドプラグ１０２をバルブ本体１０１に対してねじ込むことにより、エンドプラグ１０２をバルブ本体１０１に取り付けることが可能となる。なお、組立用工具とは、エンドプラグ１０２の外面部１２０の曲面部１２０ａ、曲面部１２０ｂ、平坦面部１２０ｃおよび平坦面部１２０ｄの一部または全部と係合（接続）可能な係合部分を有するように形成された専用工具であり、この組立用工具の係合部分は、バルブ本体１０１の係合部１０１ａとは係合しない（形状が異なる）ように形成されている。また、組立用工具は、作業者が把持して使用することが可能な小型のものであってもよいし、機械設備などに搭載される大型のものであってもよく、大きさが限定されるものではない。
【００２８】
また、モンキーレンチ、スパナまたはプライヤー等の一般的な締め付け工具を用いてバルブ本体１０１が水道配管等の管体に取り付けられる場合には、一般的な工具の係合部分は、平行な面を有していることにより、バルブ本体１０１の係合部１０１ａと係合する一方で、エンドプラグ１０２の外面部１２０とは係合しにくい。すなわち、エンドプラグ１０２の外面部１２０の形状は、バルブ本体１０１の係合部１０１ａの形状と異なっている。これにより、一般的な工具が予期せずエンドプラグ１０２の外面部１２０に引っ掛かることに起因して、エンドプラグ１０２がバルブ本体１０１からはずれてしまう（緩んでしまう）のを抑制することが可能となる。
【００２９】
また、図３および図５に示すように、エンドプラグ１０２の外面部１２０のバルブ本体１０１側の部分には、円形状のフランジ部１２１が形成されており、エンドプラグ１０２がねじ込まれる際には、エンドプラグ１０２のフランジ部１２１が、バルブ本体１０１の係合部１０１ａの側面と接触することとなる。
【００３０】
以上説明したように、第１実施形態による管継手１００によれば、以下に列記するような効果が得られる。
【００３１】
第１実施形態では、上記のように、エンドプラグ１０２の外面部１２０に、エンドプラグ１０２をバルブ本体１０１に組み付ける際に組立用工具と接続可能な互いに平行ではない平坦面部１２０ｃと平坦面部１２０ｄとを設ける。これにより、エンドプラグ１０２の外面部１２０に設けられた面部に組立用工具を係合させることにより容易にエンドプラグ１０２とバルブ本体１０１とを組み立てることができる。また、従来の一般的な工具（モンキーレンチ、スパナまたはプライヤーなど）を用いてエンドプラグの外面部に設けられた平行な２平面に係合させてねじ込む場合または分解する場合と異なり、上記実施形態ではエンドプラグ１０２の外面部１２０に一般的な工具が係合するような平行な２平面が設けられていないので、エンドプラグ１０２に予期せず工具が係合するのを抑制することができる。これにより、エンドプラグ１０２を予期せず工具で回してしまうことによりエンドプラグ１０２とバルブ本体１０１との接続部が緩むのを抑制することができるので、エンドプラグ１０２とバルブ本体１０１とが分解するのを抑制することができる。その結果、エンドプラグ１０２とバルブ本体１０１とが分解することに起因して漏水が発生するのを抑制することができる。これらにより、エンドプラグ１０２とバルブ本体１０１とを容易に組み立てることができ、かつ、エンドプラグ１０２とバルブ本体１０１との接続部が緩むことに起因して分解するのを抑制することができる。
【００３２】
（第２実施形態）
次に、図６〜図８を参照して、本発明による第２実施形態について説明する。この第２実施形態では、２つの平坦面部が設けられた上記第１実施形態による管継手１００とは異なり、１つの平坦面部が設けられた例について説明する。
【００３３】
第２実施形態による管継手２００では、図６〜図８に示すように、エンドプラグ２０２の中央部分の外面には、エンドプラグ２０２をバルブ本体１０１に組み付ける際に、組立用工具（図示せず）の係合部分と接続可能な外面部２２０が設けられている。具体的には、外面部２２０は、図７に示すように、１つの平坦面部２２０ａと、１つの曲面部２２０ｂとを有している。なお、平坦面部２２０ａは、本発明の「第１組立用面部」の一例である。また、外面部２２０には、平坦面部２２０ａと互いに平行となる平坦面部は形成されていない。
【００３４】
そして、エンドプラグ２０２の外面部２２０の平坦面部２２０ａおよび曲面部２２０ｂの一部または全部と係合（接続）可能な係合部分を有する組立用工具（図示せず）を用いて、組立用工具の係合部分を外面部２２０と係合させて、エンドプラグ２０２をバルブ本体１０１に対してねじ込むことにより、エンドプラグ２０２をバルブ本体１０１に取り付けることが可能となる。
【００３５】
また、モンキーレンチ、スパナまたはプライヤー等の一般的な締め付け工具を用いてバルブ本体１０１が水道配管等の管体に取り付けられる場合には、一般的な工具の係合部分は、平行な面を有していることにより、バルブ本体１０１の係合部１０１ａと係合する一方で、エンドプラグ２０２の外面部２２０とは係合しにくい。すなわち、エンドプラグ２０２の外面部２２０の形状は、バルブ本体１０１の係合部１０１ａの形状と異なっている。これにより、一般的な工具が予期せずエンドプラグ２０２の外面部２２０に引っ掛かることに起因して、エンドプラグ２０２がバルブ本体１０１からはずれてしまう（緩んでしまう）のを抑制することが可能となる。
【００３６】
また、図６および図８に示すように、エンドプラグ２０２の外面部２２０のバルブ本体１０１側の部分には、円形状のフランジ部１２１が形成されており、エンドプラグ２０２がねじ込まれる際には、エンドプラグ２０２のフランジ部１２１が、バルブ本体１０１の係合部１０１ａの側面と接触することとなる。なお、第２実施形態のその他の構成および効果は、上記第１実施形態と同様である。
【００３７】
（第３実施形態）
次に、図９〜図１１を参照して、本発明による第３実施形態について説明する。この第３実施形態では、２つの平坦面部が設けられた上記第１実施形態による管継手１００とは異なり、３つの平坦面部が設けられた例について説明する。
【００３８】
第３実施形態による管継手３００では、図９〜図１１に示すように、エンドプラグ３０２の中央部分の外面には、エンドプラグ３０２をバルブ本体１０１に組み付ける際に、組立用工具（図示せず）の係合部分と接続可能な互いに平行ではない面を含む外面部３２０が設けられている。具体的には、外面部３２０は、図１０に示すように、３つの平坦面部３２０ａ、平坦面部３２０ｂおよび平坦面部３２０ｃと、３つの曲面部３２０ｄ、曲面部３２０ｅおよび曲面部３２０ｆとを有している。なお、平坦面部３２０ａ、平坦面部３２０ｂおよび平坦面部３２０ｃは、本発明の「第１組立用面部」の一例である。すなわち、外面部３２０は、奇数個の平坦面部と、奇数個の曲面部とを有している。また、平坦面部３２０ａと平坦面部３２０ｂとの間には、曲面部３２０ｄが配置され、平坦面部３２０ｂと平坦面部３２０ｃとの間には、曲面部３２０ｅが配置され、平坦面部３２０ｃと平坦面部３２０ａとの間には、曲面部３２０ｆが配置されている。また、平坦面部３２０ａ〜３２０ｃは、それぞれ、互いに平行とならないように形成されている。
【００３９】
そして、エンドプラグ３０２の外面部３２０の平坦面部３２０ａ〜３２０ｃおよび曲面部３２０ｄ〜３２０ｆの一部または全部と係合（接続）可能な係合部分を有する組立用工具（図示せず）を用いて、組立用工具の係合部分を外面部３２０と係合させて、エンドプラグ３０２をバルブ本体１０１に対してねじ込むことにより、エンドプラグ３０２をバルブ本体１０１に取り付けることが可能となる。
【００４０】
また、モンキーレンチ、スパナまたはプライヤー等の一般的な締め付け工具を用いてバルブ本体１０１が水道配管等の管体に取り付けられる場合には、一般的な工具の係合部分は、平行な面を有していることにより、バルブ本体１０１の係合部１０１ａと係合する一方で、エンドプラグ３０２の外面部３２０とは係合しにくい。すなわち、エンドプラグ３０２の外面部３２０の形状は、バルブ本体１０１の係合部１０１ａの形状と異なっている。これにより、一般的な工具が予期せずエンドプラグ３０２の外面部３２０に引っ掛かることに起因して、エンドプラグ３０２がバルブ本体１０１からはずれてしまう（緩んでしまう）のを抑制することが可能となる。
【００４１】
また、図９および図１１に示すように、エンドプラグ３０２の外面部３２０のバルブ本体１０１側には、円形状のフランジ部１２１が形成されており、エンドプラグ３０２がねじ込まれる際には、エンドプラグ３０２のフランジ部１２１が、バルブ本体１０１の係合部１０１ａの側面と接触することとなる。なお、第３実施形態のその他の構成および効果は、上記第１実施形態と同様である。
【００４２】
（第４実施形態）
次に、図１２〜図１４を参照して、本発明による第４実施形態について説明する。この第４実施形態では、２つの平坦面部が設けられた上記第１実施形態による管継手１００とは異なり、５つの平坦面部が設けられた例について説明する。
【００４３】
第４実施形態による管継手４００では、図１２〜図１４に示すように、エンドプラグ４０２の中央部分の外面には、エンドプラグ４０２をバルブ本体１０１に組み付ける際に、組立用工具（図示せず）の係合部分と接続可能な互いに平行ではない面を含む外面部４２０が設けられている。具体的には、外面部４２０は、図１３に示すように、５つの平坦面部４２０ａ、平坦面部４２０ｂ、平坦面部４２０ｃ、平坦面部４２０ｄおよび平坦面部４２０ｅを有している。なお、平坦面部４２０ａ、平坦面部４２０ｂ、平坦面部４２０ｃ、平坦面部４２０ｄおよび平坦面部４２０ｅは、本発明の「第１組立用面部」の一例である。すなわち、外面部４２０は、奇数個の平坦面部を有している。また、外面部４２０は、エンドプラグ４０２の軸方向から見て、正五角形状を有している。
【００４４】
また、平坦面部４２０ａ〜４２０ｅは、それぞれ、互いに平行とならないように形成されている。そして、エンドプラグ４０２の外面部４２０の平坦面部４２０ａ〜４２０ｅの一部または全部と係合（接続）可能な係合部分を有する組立用工具（図示せず）を用いて、組立用工具の係合部分を外面部４２０と係合させて、エンドプラグ４０２をバルブ本体１０１に対してねじ込むことにより、エンドプラグ４０２をバルブ本体１０１に取り付けることが可能となる。
【００４５】
また、モンキーレンチ、スパナまたはプライヤー等の一般的な締め付け工具を用いてバルブ本体１０１が水道配管等の管体に取り付けられる場合には、一般的な工具の係合部分は、平行な面を有していることにより、バルブ本体１０１の係合部１０１ａと係合する一方で、エンドプラグ４０２の外面部４２０とは係合しにくい。すなわち、エンドプラグ４０２の外面部４２０の形状は、バルブ本体１０１の係合部１０１ａの形状と異なっている。これにより、一般的な工具が予期せずエンドプラグ４０２の外面部４２０に引っ掛かることに起因して、エンドプラグ４０２がバルブ本体１０１からはずれてしまう（緩んでしまう）のを抑制することが可能となる。
【００４６】
また、図１２および図１４に示すように、エンドプラグ４０２の外面部４２０のバルブ本体１０１側の部分には、円形状のフランジ部１２１が形成されており、エンドプラグ４０２がねじ込まれる際には、エンドプラグ４０２のフランジ部１２１が、バルブ本体１０１の係合部１０１ａの側面と接触することとなる。なお、第４実施形態のその他の構成および効果は、上記第１実施形態と同様である。
【００４７】
（第５実施形態）
次に、図１５〜図１７を参照して、本発明による第５実施形態について説明する。この第５実施形態では、２つの平坦面部が設けられた上記第１実施形態による管継手１００とは異なり、エンドプラグの外面に３つの組立用凹部が設けられた例について説明する。
【００４８】
第５実施形態による管継手５００では、図１６に示すように、エンドプラグ５０２の中央部分の外面部５２０には、エンドプラグ５０２をバルブ本体１０１に組み付ける際に、組立用工具（図示せず）の係合部分と接続可能な３つの組立用凹部５２０ａ、組立用凹部５２０ｂおよび組立用凹部５２０ｃが設けられている。また、エンドプラグ５０２の外面部５２０には、組立用凹部５２０ａ〜５２０ｃのそれぞれの間に位置するように曲面部５２０ｄ、曲面部５２０ｅおよび曲面部５２０ｆが設けられている。なお、組立用凹部５２０ａ、組立用凹部５２０ｂおよび組立用凹部５２０ｃは、本発明の「第１組立用凹部」の一例である。
【００４９】
具体的には、組立用凹部５２０ａと組立用凹部５２０ｂとの間には、曲面部５２０ｄが設けられており、組立用凹部５２０ｂと組立用凹部５２０ｃとの間には、曲面部５２０ｅが設けられており、組立用凹部５２０ｃと組立用凹部５２０ａとの間には、曲面部５２０ｆが設けられている。また、組立用凹部５２０ａ〜５２０ｃは、それぞれ、等角度（約１２０°）間隔に配置されている。また、組立用凹部５２０ａ〜５２０ｃは、エンドプラグ５０２の軸方向から見て、略三角形状に形成されている。また、図１５に示すように、組立用凹部５２０ａ〜５２０ｃは、それぞれ、エンドプラグ５０２の軸方向に沿って延びるようにＶ字形状の溝部として形成されている。
【００５０】
そして、エンドプラグ５０２の外面部５２０の組立用凹部５２０ａ〜５２０ｃおよび曲面部５２０ｄ〜５２０ｆの一部または全部と係合（接続）可能な係合部分を有する組立用工具（図示せず）を用いて、組立用工具の係合部分を外面部５２０と係合させて、エンドプラグ５０２をバルブ本体１０１に対してねじ込むことにより、エンドプラグ５０２をバルブ本体１０１に取り付けることが可能となる。
【００５１】
また、モンキーレンチ、スパナまたはプライヤー等の一般的な締め付け工具を用いてバルブ本体１０１が水道配管等の管体に取り付けられる場合には、一般的な工具の係合部分は、平行な面を有していることにより、バルブ本体１０１の係合部１０１ａと係合する一方で、エンドプラグ５０２の外面部５２０とは係合しにくい。すなわち、エンドプラグ５０２の外面部５２０の形状は、バルブ本体１０１の係合部１０１ａの形状と異なっている。これにより、一般的な工具が予期せずエンドプラグ５０２の外面部５２０に引っ掛かることに起因して、エンドプラグ５０２がバルブ本体１０１からはずれてしまう（緩んでしまう）のを抑制することが可能となる。
【００５２】
また、図１５および図１７に示すように、エンドプラグ５０２の外面部５２０のバルブ本体１０１側の部分には、円形状のフランジ部１２１が形成されており、エンドプラグ５０２がねじ込まれる際には、エンドプラグ５０２のフランジ部１２１が、バルブ本体１０１の係合部１０１ａの側面と接触することとなる。なお、第５実施形態のその他の構成は、上記第１実施形態と同様である。
【００５３】
以上説明したように、第５実施形態による管継手５００によれば、以下に列記するような効果が得られる。
【００５４】
第５実施形態では、上記のように、エンドプラグ５０２の外面部５２０に、エンドプラグ５０２をバルブ本体１０１に組み付ける際に組立用工具と接続可能な３つの組立用凹部５２０ａ〜５２０ｃを設ける。これにより、エンドプラグ５０２の外面部５２０に組立用工具を係合させることにより容易にエンドプラグ５０２とバルブ本体１０１とを組み立てることができる。また、従来の一般的な工具（モンキーレンチ、スパナまたはプライヤーなど）を用いてエンドプラグ５０２の外面部５２０に設けられた平行な２平面に係合させてねじ込む場合または分解する場合と異なり、上記実施形態ではエンドプラグ５０２の外面部５２０に一般的な工具が係合するような平行な２平面が設けられていないので、エンドプラグ５０２の外面部５２０に予期せず工具が係合するのを抑制することができる。これにより、エンドプラグ５０２の外面部５２０を予期せず工具で回してしまうことによりエンドプラグ５０２とバルブ本体１０１との接続部が緩むのを抑制することができるので、エンドプラグ５０２とバルブ本体１０１とが分解するのを抑制することができる。その結果、エンドプラグ５０２とバルブ本体１０１とが分解することに起因して漏水が発生するのを抑制することができる。これらにより、エンドプラグ５０２をバルブ本体１０１に容易に組み立てることができ、かつ、エンドプラグ５０２とバルブ本体１０１との接続部が緩むことに起因して分解するのを抑制することができる。
【００５５】
（第６実施形態）
次に、図１８〜図２０を参照して、本発明による第６実施形態について説明する。この第６実施形態では、エンドプラグの外面に３つの組立用凹部が設けられた上記第５実施形態による管継手５００とは異なり、エンドプラグの外面に４つの組立用凹部が設けられた例について説明する。
【００５６】
第６実施形態による管継手６００では、図１９に示すように、エンドプラグ６０２の中央部分の外面部６２０には、エンドプラグ６０２をバルブ本体１０１に組み付ける際に、組立用工具（図示せず）の係合部分と接続可能な４つの組立用凹部６２０ａ、組立用凹部６２０ｂ、組立用凹部６２０ｃおよび組立用凹部６２０ｄと、４つの曲面部６２０ｅ、曲面部６２０ｆ、曲面部６２０ｇおよび曲面部６２０ｈとが設けられている。すなわち、外面部６２０には、偶数個の組立用凹部と、偶数個の曲面部とが設けられている。また、エンドプラグ６０２の外面部６２０には、組立用凹部６２０ａ〜６２０ｄのそれぞれの間に位置するように曲面部６２０ｅ〜６２０ｈが設けられている。なお、組立用凹部６２０ａ、組立用凹部６２０ｂ、組立用凹部６２０ｃおよび組立用凹部６２０ｄは、本発明の「第１組立用凹部」の一例である。
【００５７】
具体的には、組立用凹部６２０ａと組立用凹部６２０ｂとの間には、曲面部６２０ｅが設けられており、組立用凹部６２０ｂと組立用凹部６２０ｃとの間には、曲面部６２０ｆが設けられており、組立用凹部６２０ｃと組立用凹部６２０ｄとの間には、曲面部６２０ｇが設けられており、組立用凹部６２０ｄと組立用凹部６２０ａとの間には、曲面部６２０ｈが設けられている。また、組立用凹部６２０ａ〜６２０ｄは、それぞれ、等角度（約９０°）間隔に配置されている。また、組立用凹部６２０ａ〜６２０ｄは、エンドプラグ６０２の軸方向から見て、略正方形状に形成されている。また、図１８に示すように、組立用凹部６２０ａ〜６２０ｄは、それぞれ、エンドプラグ６０２の軸方向に沿って延びる溝部として形成されている。
【００５８】
そして、エンドプラグ６０２の外面部６２０の組立用凹部６２０ａ〜６２０ｄおよび曲面部６２０ｅ〜６２０ｈの一部または全部と係合（接続）可能な係合部分を有する組立用工具（図示せず）を用いて、組立用工具の係合部分を組立用凹部６２０ａ〜６２０ｄと係合させて、エンドプラグ６０２をバルブ本体１０１に対してねじ込むことにより、エンドプラグ６０２をバルブ本体１０１に取り付けることが可能となる。
【００５９】
また、モンキーレンチ、スパナまたはプライヤー等の一般的な締め付け工具を用いてバルブ本体１０１が水道配管等の管体に取り付けられる場合には、一般的な工具の係合部分は、平行な面を有していることにより、バルブ本体１０１の係合部１０１ａと係合する一方で、エンドプラグ６０２の外面部６２０とは係合しにくい。すなわち、エンドプラグ６０２の外面部６２０の形状は、バルブ本体１０１の係合部１０１ａの形状と異なっている。これにより、一般的な工具が予期せずエンドプラグ６０２に引っ掛かることに起因して、エンドプラグ６０２がバルブ本体１０１からはずれてしまう（緩んでしまう）のを抑制することが可能となる。
【００６０】
また、図１８および図２０に示すように、エンドプラグ６０２の外面部６２０のバルブ本体１０１側には、円形状のフランジ部１２１が形成されており、エンドプラグ６０２がねじ込まれる際には、エンドプラグ６０２のフランジ部１２１が、バルブ本体１０１の係合部１０１ａの側面と接触することとなる。なお、第６実施形態のその他の構成および効果は、上記第５実施形態と同様である。
【００６１】
（第７実施形態）
次に、図２１〜図２３を参照して、本発明による第７実施形態について説明する。この第７実施形態では、エンドプラグの外面に２つの曲面部と２つの平坦面部が設けられた上記第１実施形態による管継手１００とは異なり、エンドプラグの内面にさらに３つの曲面部と３つの平坦面部が設けられた例について説明する。
【００６２】
第７実施形態による管継手７００では、図２１〜図２３に示すように、エンドプラグ７０２の中央部分の外面部７２０には、エンドプラグ７０２をバルブ本体１０１に組み付ける際に、組立用工具（図示せず）の係合部分と接続可能な曲面部７２０ａと、曲面部７２０ｂと、平坦面部７２０ｃと、平坦面部７２０ｄとが設けられている。なお、平坦面部７２０ｃおよび平坦面部７２０ｄは、本発明の「第１組立用面部」の一例である。また、平坦面部７２０ｃと平坦面部７２０ｄとは、互いに平行とならないように形成されている。
【００６３】
そして、エンドプラグ７０２の外面部７２０の曲面部７２０ａ、曲面部７２０ｂ、平坦面部７２０ｃおよび平坦面部７２０ｄの一部または全部と係合（接続）可能な係合部分を有する組立用工具（図示せず）を用いて、組立用工具の係合部分を外面部７２０と係合させて、エンドプラグ７０２をバルブ本体１０１に対してねじ込むことにより、エンドプラグ７０２をバルブ本体１０１に取り付けることが可能となる。
【００６４】
また、モンキーレンチ、スパナまたはプライヤー等の一般的な締め付け工具を用いてバルブ本体１０１が水道配管等の管体に取り付けられる場合には、一般的な工具の係合部分は、平行な面を有していることにより、バルブ本体１０１の係合部１０１ａと係合する一方で、エンドプラグ７０２の外面部７２０とは係合しにくい。すなわち、エンドプラグ７０２の外面部７２０の形状は、バルブ本体１０１の係合部１０１ａの形状と異なっている。これにより、一般的な工具が予期せずエンドプラグ７０２の外面部７２０に引っ掛かることに起因して、エンドプラグ７０２がバルブ本体１０１からはずれてしまう（緩んでしまう）のを抑制することが可能となる。
【００６５】
また、エンドプラグ７０２の内面部７３０（通水路１０２ｅ）には、図２２に示すように、エンドプラグ７０２をバルブ本体１０１に組み付ける際に、組立用工具（図示せず）の係合部分と接続可能な互いに平行ではない面が設けられている。具体的には、エンドプラグ７０２の内面部７３０（通水路１０２ｅ）には、３つの平坦面部７３０ａ、平坦面部７３０ｂおよび平坦面部７３０ｃと、３つの曲面部７３０ｄ、曲面部７３０ｅおよび曲面部７３０ｆとが設けられている。なお、平坦面部７３０ａ、平坦面部７３０ｂおよび平坦面部７３０ｃは、本発明の「第２組立用面部」の一例である。すなわち、エンドプラグ７０２の内面部７３０（通水路１０２ｅ）には、奇数個の平坦面部と、奇数個の曲面部とが設けられている。また、３つの平坦面部７３０ａ〜７３０ｃは、それぞれ、互いに平行とならないように形成されている。
【００６６】
そして、エンドプラグ７０２の内面部７３０の平坦面部７３０ａ〜７３０ｃおよび曲面部７３０ｄ〜７３０ｆの一部または全部と係合（接続）可能な係合部分を有する組立用工具（図示せず）を用いて、組立用工具の係合部分をエンドプラグ７０２の内面部７３０と係合させて、エンドプラグ７０２をバルブ本体１０１に対してねじ込むことにより、エンドプラグ７０２をバルブ本体１０１に取り付けることが可能となる。
【００６７】
上記の構成により、作業者は、エンドプラグ７０２の外面部７２０に組立用工具を係合させてバルブ本体１０１にねじ込む場合と、エンドプラグ７０２の内面部７３０に組立用工具を係合させてバルブ本体１０１にねじ込む場合との２通りのうち１つを選択して作業することが可能となる。
【００６８】
また、図２１および図２３に示すように、エンドプラグ７０２の外面部７２０のバルブ本体１０１側の部分には、円形状のフランジ部１２１が形成されており、エンドプラグ７０２がねじ込まれる際には、エンドプラグ７０２のフランジ部１２１が、バルブ本体１０１の係合部１０１ａの側面と接触することとなる。なお、第７実施形態のその他の構成は、上記第１実施形態と同様である。
【００６９】
以上説明したように、第７実施形態による管継手７００によれば、以下に列記するような効果が得られる。
【００７０】
第７実施形態では、上記のように、エンドプラグ７０２の内面部７３０（通水路１０２ｅ）に、エンドプラグ７０２をバルブ本体１０１に組み付ける際に組立用工具と接続可能な互いに平行ではない３つの平坦面部７３０ａ〜７３０ｃを設ける。これにより、エンドプラグ７０２の内面部７３０（通水路１０２ｅ）に組立用工具を係合させることにより容易にエンドプラグ７０２とバルブ本体１０１とを組み立てることができる。また、エンドプラグ７０２の外面部７２０に組立用工具を係合させて組み立てる場合と、エンドプラグ７０２の内面部７３０に組立用工具を係合させて組み立てる場合との２通りで組み立てることができるので、２通りのうち１つを作業者が選択して組み立てることができる。これにより、作業性を向上させることができる。さらに、従来の一般的な工具（モンキーレンチ、スパナまたはプライヤーなど）を用いてエンドプラグの外面部に設けられた平行な２平面に係合させてねじ込む場合または分解する場合と異なり、エンドプラグ７０２の外面部７２０には、一般的な工具が係合するような平行な２平面が設けられていないので、エンドプラグ７０２の外面部７２０に予期せず工具が係合するのを抑制することができる。
【００７１】
なお、上記第７実施形態では、エンドプラグ７０２の内面部７３０（通水路１０２ｅ）に、３つの平坦面部７３０ａ〜７３０ｃをそれぞれ互いに平行とならないように形成する例を示したが、エンドプラグ７０２の内面部７３０（通水路１０２ｅ）に互いに平行となる平坦面部を形成してもよいし、エンドプラグ７０２の内面部７３０（通水路１０２ｅ）を円形形状に形成してもよい。
【００７２】
（第８実施形態）
次に、図２４〜図２６を参照して、本発明による第８実施形態について説明する。この第８実施形態では、エンドプラグの内面に３つの平坦面部が設けられた上記第７実施形態による管継手７００とは異なり、エンドプラグの内面に３つの組立用凹部が設けられた例について説明する。
【００７３】
第８実施形態による管継手８００では、図２４〜図２６に示すように、エンドプラグ８０２の中央部分の外面部８２０には、エンドプラグ８０２をバルブ本体１０１に組み付ける際に、組立用工具（図示せず）の係合部分と接続可能な曲面部８２０ａと、曲面部８２０ｂと、平坦面部８２０ｃと、平坦面部８２０ｄとが設けられている。なお、平坦面部８２０ｃおよび平坦面部８２０ｄは、本発明の「第１組立用面部」の一例である。すなわち、外面部８２０は、偶数個の曲面部と、偶数個の平坦面部とを有している。そして、曲面部８２０ａ、曲面部８２０ｂ、平坦面部８２０ｃ、平坦面部８２０ｄは、それぞれ、互いに平行とならないように形成されている。そして、エンドプラグ８０２の外面部８２０の曲面部８２０ａ、曲面部８２０ｂ、平坦面部８２０ｃおよび平坦面部８２０ｄの一部または全部と係合（接続）可能な係合部分を有する組立用工具（図示せず）を用いて、組立用工具の係合部分を外面部８２０と係合させて、エンドプラグ８０２をバルブ本体１０１に対してねじ込むことにより、エンドプラグ８０２をバルブ本体１０１に取り付けることが可能となる。
【００７４】
また、モンキーレンチ、スパナまたはプライヤー等の一般的な締め付け工具を用いてバルブ本体１０１が水道配管等の管体に取り付けられる場合には、一般的な工具の係合部分は、平行な面を有していることにより、バルブ本体１０１の係合部１０１ａと係合する一方で、エンドプラグ８０２の外面部８２０とは係合しにくい。すなわち、エンドプラグ８０２の外面部８２０の形状は、バルブ本体１０１の係合部１０１ａの形状と異なっている。これにより、一般的な工具が予期せずエンドプラグ８０２に引っ掛かることに起因して、エンドプラグ８０２がバルブ本体１０１からはずれてしまう（緩んでしまう）のを抑制することが可能となる。
【００７５】
また、エンドプラグ８０２の内面部８３０（通水路１０２ｅ）には、図２５に示すように、エンドプラグ８０２をバルブ本体１０１に組み付ける際に、組立用工具（図示せず）の係合部分と接続可能な３つの組立用凹部８３０ａ、組立用凹部８３０ｂおよび組立用凹部８３０ｃと、３つの曲面部８３０ｄ、曲面部８３０ｅおよび曲面部８３０ｆとが設けられている。すなわち、エンドプラグ８０２の内面部８３０には、奇数個の組立用凹部と、奇数個の曲面部とが設けられている。なお、組立用凹部８３０ａ、組立用凹部８３０ｂおよび組立用凹部８３０ｃは、本発明の「第２組立用凹部」の一例である。また、エンドプラグ８０２の内面部８３０（通水路１０２ｅ）には、組立用凹部８３０ａ〜８３０ｃのそれぞれの間に位置するように曲面部８３０ｄ〜８３０ｆが設けられている。
【００７６】
具体的には、組立用凹部８３０ａと組立用凹部８３０ｂとの間には、曲面部８３０ｄが設けられており、組立用凹部８３０ｂと組立用凹部８３０ｃとの間には、曲面部８３０ｅが設けられており、組立用凹部８３０ｃと組立用凹部８３０ａとの間には、曲面部８３０ｆが設けられている。また、組立用凹部８３０ａ〜８３０ｃは、それぞれ、等角度（約１２０°）間隔に配置されている。また、組立用凹部８３０ａ〜８３０ｃは、エンドプラグ８０２の軸方向から見て、略三角形状に形成されている。また、図２４に示すように、組立用凹部８３０ａ〜８３０ｃは、それぞれ、エンドプラグ８０２の軸方向に沿って延びるようにＶ字状の溝部として形成されている。
【００７７】
そして、エンドプラグ８０２の内面部８３０の組立用凹部８３０ａ〜８３０ｃおよび曲面部８３０ｄ〜８３０ｆの一部または全部と係合（接続）可能な係合部分を有する組立用工具（図示せず）を用いて、組立用工具の係合部分をエンドプラグ８０２の内面部８３０と係合させて、エンドプラグ８０２をバルブ本体１０１に対してねじ込むことにより、エンドプラグ８０２をバルブ本体１０１に取り付けることが可能となる。
【００７８】
上記の構成により、作業者は、エンドプラグ８０２の外面部８２０に組立用工具を係合させてバルブ本体１０１にねじ込む場合と、エンドプラグ８０２の内面部８３０に組立用工具を係合させてバルブ本体１０１にねじ込む場合との２通りのうち１つを選択して作業することが可能となる。
【００７９】
また、図２４および図２６に示すように、エンドプラグ８０２の外面部８２０のバルブ本体１０１側の部分には、円形状のフランジ部１２１が形成されており、エンドプラグ８０２がねじ込まれる際には、エンドプラグ８０２のフランジ部１２１が、バルブ本体１０１の係合部１０１ａの側面と接触することとなる。なお、第８実施形態のその他の構成および効果は、上記第７実施形態と同様である。
【００８０】
−他の実施形態−
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８１】
たとえば、上記実施形態では、エンドプラグの外面部に１つ〜３つまたは５つの平坦面部を設ける例を示したが、本発明はこれに限られない。たとえば、互いに平行でなければエンドプラグの外面部に１つ〜３つまたは５つ以外の数の平坦面部を設けてもよいし、エンドプラグの外面部を円形形状に形成してもよい。また、エンドプラグの外面部が円形形状に形成される場合には、組立用工具の係合部分を円形形状の外面部（組立用円形部）と係合させて、例えば摩擦力などを利用してエンドプラグをバルブ本体に対してねじ込むことにより、エンドプラグをバルブ本体に取り付けることが可能となる。さらに、一般的な工具が予期せずエンドプラグの外面部に引っ掛かることに起因して、エンドプラグがバルブ本体からはずれてしまう（緩んでしまう）のを抑制することが可能となる。
【００８２】
また、上記実施形態では、エンドプラグの外面部または内面部に３つまたは４つの組立用凹部を設ける例を示したが、本発明はこれに限られない。たとえば、エンドプラグの外面部または内面部に３つまたは４つ以外の数の組立用凹部を設けてもよい。
【００８３】
また、上記実施形態では、エンドプラグの外面部または内面部に溝状の組立用凹部を設ける例を示したが、本発明はこれに限られない。たとえば、組立用凹部を溝状以外にくぼんだ形状に形成してもよい。
【００８４】
また、上記実施形態では、エンドプラグの外面部または内面部に組立用凹部を等角度間隔で設ける例を示したが、本発明はこれに限られない。たとえば、エンドプラグの外面部または内面部に組立用凹部を任意の角度間隔で設けてもよい。
【産業上の利用可能性】
【００８５】
本発明は、管継手に利用可能であり、さらに詳しくは、管体に取り付けられる管継手に利用することができる。
【符号の説明】
【００８６】
１００、２００、３００、４００、５００、６００、７００、８００  管継手
１０１  バルブ本体
１０２、２０２、３０２、４０２、５０２、６０２、７０２、８０２  エンドプラグ
１０２ｅ  通水路
１０６  ボール弁体（弁体）
１２０、２２０、３２０、４２０、５２０、６２０、７２０、８２０  外面部
１２０ｃ、１２０ｄ、２２０ａ、３２０ａ〜３２０ｃ、４２０ａ〜４２０ｅ、７２０ｃ、７２０ｄ、８２０ｃ、８２０ｄ  平坦面部（第１組立用面部）
５２０ａ〜５２０ｃ、６２０ａ〜６２０ｄ  組立用凹部（第１組立用凹部）
７３０、８３０  内面部
７３０ａ〜７３０ｃ  平坦面部（第２組立用面部）
８３０ａ〜８３０ｃ  組立用凹部（第２組立用凹部）
【図１】
2013257029.tif 000003
【図２】
2013257029.tif 000004
【図３】
2013257029.tif 000005
【図４】
2013257029.tif 000006
【図５】
2013257029.tif 000007
【図６】
2013257029.tif 000008
【図７】
2013257029.tif 000009
【図８】
2013257029.tif 000010
【図９】
2013257029.tif 000011
【図１０】
2013257029.tif 000012
【図１１】
2013257029.tif 000013
【図１２】
2013257029.tif 000014
【図１３】
2013257029.tif 000015
【図１４】
2013257029.tif 000016
【図１５】
2013257029.tif 000017
【図１６】
2013257029.tif 000018
【図１７】
2013257029.tif 000019
【図１８】
2013257029.tif 000020
【図１９】
2013257029.tif 000021
【図２０】
2013257029.tif 000022
【図２１】
2013257029.tif 000023
【図２２】
2013257029.tif 000024
【図２３】
2013257029.tif 000025
【図２４】
2013257029.tif 000026
【図２５】
2013257029.tif 000027
【図２６】
2013257029.tif 000028